(57)【要約】【課題】複数の垂木等の部材が一体化された木造屋根パネルを、母屋や軒桁等の横架材に対して正確、簡便、且つ安全に固定することができる手段を提供する。【解決手段】本木造屋根パネル１００は、所定間隔で配置された複数の垂木１の軒先端１ａに軒先母屋２が架設され、各垂木１の横架材との固定位置に、横架材の上面に固定する固定部４０と、該固定部４０上に形成され、各垂木１が所定の屋根勾配となるように傾斜した垂木支持面４１とを備えてなる垂木固定部材４が、該垂木支持面４１と各垂木１の底面とが接した状態で架設されたものである。複数の垂木１に軒先母屋２及び垂木固定部材４が架設されることにより一体化された木造屋根パネル１００が、垂木固定部材４を介して、母屋や軒桁等の横架材上に所定勾配で固定される。【選択図】      図１
2004346561.tif 000002
【特許請求の範囲】
【請求項１】
所定間隔で配置された複数の垂木の軒先端に軒先母屋が架設され、各垂木の横架材との固定位置に、横架材の上面に固定する固定部と、該固定部上に形成され、各垂木が所定の屋根勾配となるように傾斜した垂木支持面とを備えてなる垂木固定部材が、該垂木支持面と各垂木の底面とが接した状態で架設されたことを特徴とする木造屋根パネル。
【請求項２】
前記木造屋根パネルは、上下方向に分割された分割屋根パネルが所定の横架材上で継合されてなるものであって、
下側分割屋根パネルは、前記各垂木の継合端付近に前記垂木固定部材が架設されたものであり、
上側分割屋根パネルは、前記各垂木の継合端付近に、横架材の上面に固定する固定部と、該固定部上に形成され、各垂木が所定の屋根勾配となるように傾斜し且つ前記下側分割屋根パネルの各垂木と同一軸線となるように支持する垂木支持面とを備えてなる継合用垂木固定部材が架設されたものであることを特徴とする請求項１記載の木造屋根パネル。
【請求項３】
所定間隔で配置された複数の垂木の軒先端に軒先母屋が架設されるとともに各垂木の上面に野路板が敷設され、該各垂木の軒桁との固定位置には、各垂木に固定する垂木受け部と、該垂木受け部から垂木の軸線方向と直交する方向に突設された羽根部と、留め具を挿通するために該羽根部に穿設された貫通孔とを備えてなる第１の軒桁用垂木固定部材が夫々固定されたものであって、
軒桁との固定は、該軒桁の上面に固定された基部から起立して、該軒桁に固定する垂木の勾配と直交し且つ勾配上方へ向いた規制面を有する起立部が形成され、該規制面に、垂木を遊嵌する切欠きと前記留め具を挿通する貫通孔とが形成されてなる第２の軒桁用垂木固定部材と、前記各第１の軒桁用垂木固定部材とが、前記規制面に前記羽根部を当接させた状態で、夫々の貫通孔に留め具を挿通して締結することによりなされ、
母屋との固定は、該母屋の上面に固定された基部上に、所定勾配の垂木の底面を支持する垂木支持部が形成され、該垂木支持部に、垂木の側面に固定する垂木固定部が立設されてなる母屋用垂木固定部材によりなされることを特徴とする木造屋根パネル。
【発明の詳細な説明】
【０００１】
【発明の属する技術分野】
本発明は、木造小屋組を構成する横架材に固定される木造屋根パネルであり、特に、複数の垂木に軒先母屋と垂木固定部材とが架設されたものに関する。
【０００２】
【従来の技術】
木造建築物の小屋組では、軒桁や母屋、棟木等の横架材に垂木を固定し、該垂木に野路板を敷設することが一般的である。例えば母屋に垂木を固定する場合には、所定勾配の垂木を支持する面積を確保するために、母屋に垂木掘りと呼ばれる切欠部を形成し、該切欠部に垂木を嵌めて垂木の両側から釘を斜め打ちして軒桁に固定するが、このような斜めの釘打ちによる垂木の固定では、作業者の熟練により固定強度が異なり、安定した強度を得ることが難しく、また、高所での釘打ち作業が危険であるという問題がある。
【０００３】
また、軒先に突出する垂木の寸法、所謂垂木の通りは、通りに対して寸法余裕をもたせて垂木を固定した後、通りを揃えて各垂木を切断するが、このような作業も作業者の熟練を必要とし、また高所作業で危険であるという問題がある。
【０００４】
一方、垂木を予め所定長さに切断しておき、短冊状の金属板を中央付近で９０度捻った捻り金物を、垂木の側面と軒桁の軒桁に夫々当接させて釘打ち等により固定する方法がある（特許文献１参照）。しかし、軒先の通りを調整しながら、捻り金物により垂木を釘打ちで固定することは手間であり、寸法精度も確保し難いという問題がある。
【０００５】
他方、垂木や野路板等の部材を予め工場等において一体的に形成した屋根パネルを用いる工法があり、該工法では、工場等で製造した複数の屋根パネルを施工現場に搬入し、各屋根パネルをクレーン等で吊り上げて位置決めし、木造住宅の小屋組に固定する（特許文献２参照）。これにより、通り寸法の精度等において作業者の技量による差が少なくなり、また、工期の短縮を図ることができる。
【０００６】
【特許文献１】
特開２０００−３８７７５号公報（［０００２］段、図７等）
【特許文献２】
特開平１１−２１０１４３号公報（［０００２］段、図６等）
【０００７】
【発明が解決しようとする課題】
しかし、前記屋根パネルは複数の部材からなるために相当の重量があり、そのような屋根パネルをクレーンで吊り上げながら軒桁や母屋等の所定位置に位置決めするのは難しく、また、位置決めをした後は、その位置からずれないように作業者が屋根パネルを支持しながら、ボルトや釘を打ちつけることが必要であり、作業者の手間は以前として大きい。
【０００８】
また、予め野路板が敷設された屋根パネルでは、屋根パネルの上方から釘等を打ちつけることは困難であるから、垂木の側方や母屋の下方から作業をすることとなるが、前述したように、垂木の側方から釘を斜め打ちすることは、作業者の熟練が必要であり、安定した固定強度を得ることが難しい。
【０００９】
本発明は、これらの点に鑑みてなされたものであり、複数の垂木等の部材が一体化された木造屋根パネルを、母屋や軒桁等の横架材に対して正確、簡便、且つ安全に固定することができる手段を提供することを目的とする。
【００１０】
【課題を解決するための手段】
前記課題を解決するためになされた本発明に係る木造屋根パネルは、所定間隔で配置された複数の垂木の軒先端に軒先母屋が架設され、各垂木の横架材との固定位置に、横架材の上面に固定する固定部と、該固定部上に形成され、各垂木が所定の屋根勾配となるように傾斜した垂木支持面とを備えてなる垂木固定部材が、該垂木支持面と各垂木の底面とが接した状態で架設されたものである。これにより、複数の垂木に軒先母屋及び垂木固定部材が架設されて一体化された木造屋根パネルが、垂木固定部材を介して、母屋や軒桁等の横架材上に所定勾配で固定される。
【００１１】
また、本発明は、前記木造屋根パネルは、上下方向に分割された分割屋根パネルが所定の母屋上で継合されてなるものであって、下側分割屋根パネルは、前記各垂木の継合端付近に前記垂木固定部材が架設されたものであり、上側分割屋根パネルは、前記各垂木の継合端付近に、横架材の上面に固定する固定部と、該固定部上に形成され、各垂木が所定の屋根勾配となるように傾斜し且つ前記下側分割屋根パネルの各垂木と同一軸線となるように支持する垂木支持面とを備えてなる継合用垂木固定部材が架設されたものである。屋根面積が大きい場合等に軒先から棟木までを上下に分割することにより、各分割屋根パネルの重量や大きさが小さくなるので運搬や施工が容易となる。また、継合用垂木固定部材により各垂木が継合すべき垂木と同一軸線に支持されるので、横架材上での継合作業が容易となる。
【００１２】
また、本発明に係る木造屋根パネルは、所定間隔で配置された複数の垂木の軒先端に軒先母屋が架設されるとともに各垂木の上面に野路板が敷設され、該各垂木の軒桁との固定位置には、各垂木に固定する垂木受け部と、該垂木受け部から垂木の軸線方向と直交する方向に突設された羽根部と、留め具を挿通するために該羽根部に穿設された貫通孔とを備えてなる第１の軒桁用垂木固定部材が夫々固定されたものであって、軒桁との固定は、該軒桁の上面に固定された基部から起立して、該軒桁に固定する垂木の勾配と直交し且つ勾配上方へ向いた規制面を有する起立部が形成され、該規制面に、垂木を遊嵌する切欠きと前記留め具を挿通する貫通孔とが形成されてなる第２の軒桁用垂木固定部材と、前記各第１の軒桁用垂木固定部材とが、前記規制面に前記羽根部を当接させた状態で、夫々の貫通孔に留め具を挿通して締結することによりなされ、母屋との固定は、該母屋の上面に固定された基部上に、所定勾配の垂木の底面を支持する垂木支持部が形成され、該垂木支持部に、垂木の側面に固定する垂木固定部が立設されてなる母屋用垂木固定部材によりなされるものである。軒桁に対しては第１の軒桁用垂木固定部材の規制面に第２の固定部材の羽根部を当接させて垂木を担持させ、母屋及び棟木に対しては母屋用垂木固定部材の垂木支持部上に垂木を載置することにより、安定した状態で屋根パネルを軒桁及び母屋上に仮置きすることができ、屋根パネルの位置調整や、留め具による第１の軒桁用垂木固定部材と第２の軒桁用垂木固定部材との固定作業、及び母屋用垂木固定部材と垂木との固定作業が容易となる。
【００１３】
【発明の実施の形態】
以下、本発明の実施の形態を図面に基づき具体的に説明する。
図１は、本発明の第１の実施の形態に係る木造屋根パネル１００の構成を示す斜視図であるが、図に示すように、本木造屋根パネル１００は、所定間隔で配置された複数の垂木１と、各垂木１の軒先端１ａに架設された軒先母屋２と、各垂木１の他端１ｂに架設された隅木３と、各垂木１の横架材との固定位置に架設された垂木固定部材４とを具備してなるものである。
【００１４】
垂木１は、木製の角材であり、軒先の通りに合わせて適宜切断されている。本木造屋根パネル１００は、寄せ棟の屋根の傾斜面が交わる隅部に配設されるものなので、各垂木１は、該隅部に向かって順次短くなるように切断されている。木造屋根パネル１００に配設すべき垂木１の本数は特に限定されるものではないが、木造屋根パネル１００を工場から施工現場へ運搬する際の積載効率やクレーンでの吊り上げ等を考慮すれば、木造屋根パネル１００の幅が約２，３メートル程度となるように垂木１の本数を設定することが好適である。各垂木１の軒先端１ａには軒先母屋２が、他端１ｂには隅木３が架設されており、最も長尺の垂木１と軒先母屋２と隅木３とが木造屋根パネル１００の枠体として機能している。
【００１５】
垂木固定部材４は、鋼板を曲折加工して得られる長尺部材であり、各垂木１を木造小屋組の母屋や軒桁へ固定する位置に架設されている。詳細には、図２に示すように、鋼板の長手方向の両端部分が水平方向に折り曲げられて、横架材の上面に固定するための固定部４０をなしており、該鋼板の中央部分は両固定部４０から夫々垂直方向へ起立して凸形状をなしており、該凸形状の上面が屋根勾配に沿って傾斜した垂木支持面４１となっている。該垂木支持面４１には、各垂木１の両側となる位置に釘穴４２が夫々穿設されており、更に、側端近傍に、位置決め孔４３が穿設されている。このように構成された垂木固定部材４が、その垂木支持面４１を各垂木１の底面に接した状態で、垂木１を母屋及び軒桁へ固定する位置に夫々架設されている。
【００１６】
つぎに、本木造屋根パネル１００の固定方法について説明する。
工場等において予め組み付けられた木造屋根パネル１００を、トラック等の運搬車両に積載して施工現場へ搬入する。搬入後、クレーン等により吊り上げて木造小屋組の所定位置に位置せしめ、釘打ち等により軒桁等の横架材に固定する。
【００１７】
さらに詳細に説明するに、図３は、一般的な木造小屋組の一部を示すものであり、軒桁Ａ、小屋梁Ｂが組まれ、小屋梁Ｂ上に小屋束Ｃが適宜立設され、各小屋束Ｃ上に母屋Ｄが横架されている。また、図には示していないが、棟の頂点には棟木が横架されている。本木造屋根パネル１００は該軒桁Ａ及び母屋Ｄに固定されるものである。なお、本木造小屋組は一例であり、本発明に係る固定部材の使用が当該木造小屋組に限定されるものではない。
【００１８】
軒桁Ａ及び母屋Ｄ等の横架材が組まれた後、施工現場に搬入した木造屋根パネル１００をクレーンで吊り上げ、図４に示すように、軒桁Ａ及び母屋Ｄの上面に垂木固定部材４の固定部４０を接合して、木造屋根パネル１００を軒桁Ａ及び母屋Ｄ上に載置する。該固定部４０は水平方向に曲折されたものなので、固定部４０の裏面が軒桁Ａ及び母屋Ｄの上面に接して、木造屋根パネル１００を安定した状態で載置できる。また、垂木固定部材４の支持面４１により各垂木１は、軒桁Ａ及び母屋Ｄに対して所定の屋根勾配となっている。図５に示すように、軒桁Ａには、予め位置決め孔４４が夫々穿っておき、垂木固定部材４の位置決め孔４３及び各位置決め孔４４に位置決めピン４５を夫々連通することにより、木造屋根パネル１００の位置決めをする。位置決め後、垂木固定部材４の釘穴４２に釘４６を通して軒桁Ａに打ちつけることにより、木造屋根パネル１００を固定する。釘穴４２は、垂木支持面４１の上下方向に穿設されているので、釘４６を垂直方向に打ち込めるので作業性がよい。なお、図には示していないが、母屋Ｄに対しても同様に位置決め及び釘打ちを行う。その後、木造屋根パネル１００に野路板（不図示）を張る。
【００１９】
このように、予め工場等において組み付けられた屋根パネル１００を施工現場に搬入し、軒桁Ａ及び母屋Ｄに固定することにより、施工現場における作業が少なくなり工期の短縮化を図ることができ、現場での廃材も少なくなる。また、垂木固定部材１０４に水平方向の固定部４０及び屋根勾配に沿った垂木支持面４１を設けることにより、屋根パネル１００を所定の屋根勾配に傾斜させ且つ安定した状態で軒桁Ａ及び母屋Ｄ上に載置することができ、屋根パネル１００が落下する危険性が少なくなり位置決め作業が容易となる。更には、垂木固定部材１０４を軒桁Ａ及び母屋Ｄに釘打ちして固定することにより屋根パネル１００が固定されるので、従来の釘の斜め打ち等による作業者の技量の差がなくなり、安定且つ確実な固定が可能である。
【００２０】
なお、本木造屋根パネル１００は、寄せ棟の屋根の隅部に配設されるものなので、垂木１を隅部へ向かって順次短くし、隅木３が架設されたものとしたが、屋根の他の部分に配設すべき屋根パネルでは、隅木３に代えて谷木を架設したり、隅木３を架設することなく、例えば図６に示すように、同一長さの複数の垂木１の軒先端１ａに軒先母屋２を架設し、各垂木１の横架材との固定位置に垂木固定部材４を架設したものとし、これらを適宜組み合わせて所望の屋根を構成する。また、切り褄等のその他の屋根の形状に合わせて隅木や谷木の有無は適宜変更する。
【００２１】
以下、本発明の第２の実施の形態に係る木造屋根パネル１０１について説明する。
本木造屋根パネル１０１は、図７に示すように、木造小屋組に配設すべき木造屋根パネルが上下方向に分割されたものであって、下側分割屋根パネル１０１Ａ及び上側分割屋根パネル１０１Ｂの２つからなり、これら下側分割屋根パネル１０１Ａ及び上側分割屋根パネル１０１Ｂが母屋上で継合されて１つの木造屋根パネル１０１を構成するようになっている。建物の屋根面積が大きい場合等に、本木造屋根パネル１０１のように軒先から棟木に対して上下に分割することにより、各分割屋根パネル１０１Ａ，１０１Ｂの重量や大きさが小さくなるので運搬や施工が容易になるという利点がある。
【００２２】
下側分割屋根パネル１０１Ａは、図７に示すように、所定間隔で配置された各垂木１Ａの軒先端１ａに軒先母屋２が、軒桁への固定位置及び継合端１ｃ付近に垂木固定部材４が、夫々架設されて一体化されたものであり、垂木１Ａは上側分割屋根パネル１０１Ｂの垂木１Ｂと継合されて１本の垂木１となるものであり、軒先母屋２は前述と同様のものである。なお、本木造屋根パネル１０１においても配設すべき垂木１の本数や長さは特に限定されるものではない。
【００２３】
垂木固定部材４も、前述と同様のものであり、図７に示すように各垂木１Ａを木造小屋組の母屋及び軒桁へ固定する位置に架設されている。図８は垂木１Ａの継合端１ｃ付近の詳細な構成を示すものであるが、垂木固定部材４は、鋼板の長手方向の両端部分が水平方向に折り曲げられて、横架材の上面に固定するための固定部４０をなしており、該鋼板の中央部分は両固定部４０から夫々垂直方向へ起立して凸形状をなしており、該凸形状の上面が屋根勾配に沿って傾斜した垂木支持面４１となっている。該垂木支持面４１には、各垂木１Ａの両側となる位置に釘穴４２が夫々穿設されており、更に、側端近傍に、位置決め孔４３が穿設されている。このように構成された垂木固定部材４が、その垂木支持面４１を各垂木１Ａの底面に接した状態で、垂木１Ａを母屋及び軒桁へ固定する位置に夫々架設されている。
【００２４】
一方、上側分割屋根パネル１０１Ｂは、所定間隔で配置された各垂木１Ｂの継合端１ｄ付近に継合用垂木固定部材５が、母屋及び棟木への固定位置に前記垂木固定部材４が夫々架設されて一体化されたものである。各垂木１Ｂは、夫々対応する前記垂木１Ａと継合されて１本の垂木１となるものであり、各垂木１Ｂの配置は前記各垂木１Ａの配置と同様である。また、母屋及び棟木との固定位置に架設された垂木固定部材４も前述と同様であるので詳細な説明は省略する。
【００２５】
継合用垂木固定部材５は、鋼板を曲折加工して得られる長尺部材であり、各垂木１Ｂの継合端１ｄ付近に架設されている。詳細には、図９に示すように、鋼板の下端部分が水平方向に折り曲げられて、母屋の上面に固定するための固定部５０をなしており、該鋼板の中央部分は固定部５０から垂直方向へ起立して起立部５１となり、該起立部５１から上端部分が屋根勾配に沿って屈曲して垂木支持面５２となっている。固定部５０には、各垂木１Ｂの固定位置付近に釘穴５３が夫々穿設されており、更に、側端近傍に位置決め孔５４が穿設されている。このように構成された継合用垂木固定部材５が、各垂木１Ｂを所定の屋根勾配となるように傾斜し且つ下側分割屋根パネル１０１Ａの各垂木１Ａと同一軸線となるように、母屋上で各垂木１Ｂを支持する。
【００２６】
つぎに、本木造屋根パネル２００の固定方法について説明する。
工場等において予め組み付けられた下側分割屋根パネル１０１Ａ及び上側分割屋根パネル１０１Ｂを、分離状態のまま、トラック等の運搬車両に積載されて施工現場へ搬入する。搬入後、クレーン等により吊り上げて木造小屋組の所定位置に夫々位置せしめ、母屋上で下側分割屋根パネル１０１Ａ及び上側分割屋根パネル１０１Ｂを継合するとともに釘打ち等により各横架材に固定する。
【００２７】
さらに詳細に説明するに、図１０に示すように、小屋組には軒桁Ａ、小屋梁Ｂが組まれ、小屋梁Ｂ上に小屋束Ｃが適宜立設され、各小屋束Ｃ上に母屋Ｄが横架され、棟の頂部には棟木Ｅが横架されている。このような木造小屋組が組まれた後、図に示すように、施工現場へ搬入した下側分割屋根パネル１０１Ａをクレーンで吊り上げ、図１１に示すように、軒桁Ａ及び母屋Ｄの上面に、垂木固定部材４の固定部４０を接合して、下側分割屋根パネル１０１Ａを軒桁Ａ及び母屋Ｄ上に載置する。前述と同様に、固定部４０は水平方向に曲折されたものなので、固定部４０の裏面が軒桁Ａ及び母屋Ｄの上面に接して、下側分割屋根パネル１０１Ａを安定した状態で軒桁Ａ及び母屋Ｄ上に載置でき、垂木固定部材４の支持面４１により、各垂木１Ａが軒桁Ａ及び母屋Ｄに対して所定の屋根勾配となる。この状態で、図５で示したように、垂木固定部材４の位置決め孔４３及び軒桁Ａ及び母屋Ｄに予め穿っておいた位置決め孔４４に位置決めピン４５を夫々連通することにより、下側分割屋根パネル１０１Ａの位置決めをし、垂木固定部材４の釘穴４２に釘４６を通して軒桁Ａ及び母屋Ｄに夫々打ちつけることにより、下側分割屋根パネル１０１Ａを固定する。
【００２８】
つぎに、図１１に示すように、上側分割屋根パネル１０１Ｂをクレーンで吊り上げ、母屋Ｄ及び棟木Ｅの上面に、垂木固定部材４の固定部４０を接合するとともに、下側分割屋根パネル１０１Ａの継合端１ｃが載置された母屋Ｄ上に、継合用垂木固定部材５を載置する。図１２に示すように、垂木固定部材４により、前述と同様に、固定部４０の裏面が母屋Ｄ及び棟木Ｅの上面に接して、上側分割屋根パネル１０１Ｂを母屋Ｄ及び棟木Ｅ上に安定した状態で載置でき、垂木固定部材４の支持面４１により各垂木１Ｂは、母屋Ｄ及び棟木Ｅに対して所定の屋根勾配となる。また、継合用垂木固定部材５により、母屋Ｄ上で上側分割屋根パネル１０１Ｂの各垂木１Ｂが、下側分割屋根パネル１０１Ａの各垂木１Ａと同一軸線に支持される。軸線が多少ずれていても、上側分割屋根パネル１０１Ｂは、母屋Ｄ及び棟木Ｅ上に安定して載置されているので位置調整は容易である。この状態で、図には詳細に示していないが図５と同様に、継合用垂木固定部材５の位置決め孔５３及び母屋Ｄ及び棟木に予め穿っておいた位置決め孔に位置決めピン４５を夫々連通することにより、図１２に示すように、上側分割屋根パネル１０１Ｂを、夫々対応する垂木１Ｂと垂木１Ａとの継合端面が接した状態で母屋Ｄ及び棟木Ｅ上に位置決めする。その後、垂木固定部材４及び継合用垂木固定部材５の釘穴４６に釘を通して母屋Ｄ及び棟木Ｅに打ちつけることにより、上側分割屋根パネル１０１Ｂを固定する。さらに、必要に応じて垂木１Ａ，１Ｂの継合部分に釘打ち等を行う。
【００２９】
このように、本屋根パネル１０１によれば、運搬や施工の容易のために上下に分割された下側分割屋根パネル１０１Ａ及び上側分割屋根パネル１０１Ｂを、軒桁Ａ、母屋Ｄ及び棟木Ｅに簡易且つ安定した状態で固定することができ、各垂木１Ａ，１Ｂの継合作業も安定した状態で行うことができる。また、継合用垂木固定部材５により、各垂木１Ｂが夫々対応する垂木１Ａと同一軸線上に安定状態で支持されるので、垂木１Ａ，１Ｂの継合に作業者の技量の差がなくなり、安定且つ確実な継合が可能である。
【００３０】
以下、本発明の第３の実施の形態に係る木造屋根パネル１０２について説明する。
本木造屋根パネル１０２は、図１３に示すように、所定間隔で配置された複数の垂木１の軒先端１ａに軒先母屋２が架設されるとともに各垂木１の上面に野路板６が敷設され、該各垂木１の軒桁との固定位置には、第１の軒桁用垂木固定部材７が夫々固定されたものである。本木造屋根パネル１０２では、野路板６も工場等で予め一体として組み付けられているので、施工現場における作業が更に軽減されて工期が一層短縮され、現場での廃材も一層少なくなるという利点がある。
【００３１】
木造屋根パネル１０２は、図に示すように、所定間隔で配置された各垂木１の軒先端１ａに軒先母屋２が架設されるとともに、垂木１の上面に野路板６が張られて一体化されたものである。垂木１及び軒先母屋２は前述と同様のものであり、配設すべき垂木１の本数や長さは特に限定されるものではない。また、野路板６は、木製の平板であり、各垂木１に釘打ちされて固定されている。
【００３２】
第１の軒桁用垂木固定部材７は、図１４に示すように、垂木１に固定する垂木受け部７０と、垂木受け部７０から垂木１の軸線方向と直交する方向に突設された羽根部７１と、ボルト等の留め具を挿通するために羽根部７１に穿設された貫通孔７２とを備えてなるものであり、所定形状の鋼板に曲折、打ち抜き等の加工を施すことにより得ることができる。
【００３３】
垂木受け部７０は、両側部７０Ｌ，７０Ｒ及び底部７０Ｂからなる上側を開放とした縦断面が略コの字形状のものであり、該垂木受け部７０に垂木１が嵌合されることにより、垂木受け部７０の各内面が垂木１の底面及び両側面と夫々接触した状態となって垂木１を支持するようになっている。垂木受け部７０の両側部７０Ｌ，７０Ｒ及び底部７０Ｂには、夫々貫通孔７３が穿設されており、該貫通孔７３にボルトや釘等を挿通して垂木１に貫入することにより、第１の軒桁用垂木固定部材７を垂木１に固定できるようになっている。また、両側部７０Ｌ，７０Ｒの各貫通孔７３は、垂木１の高さ方向の位置を互いに異なるものとして、底部７０Ｂの貫通孔７３は、垂木１の軸方向の位置を前記両側部７０Ｌ，７０Ｒの各貫通孔７３と異なるものとして、各貫通孔７３に挿通し垂木１に貫入した釘等が互いに干渉しないようになっている。
【００３４】
また、本木造屋根パネル１０２では、垂木１の上面に野路板６が固定されるので、垂木受け部７０の両側部７０Ｌ，７０Ｒは垂木１の上面へ突出しないように、垂木１の高さ寸法内のものとする。また、第１の軒桁用垂木固定部材７は、垂木受け部７０により、少なくとも垂木１の底面及び一側面に固定されれば十分であり、垂木受け部７０を、側部７０Ｌを省略したＬ字形状のものとしてもよいが、垂木１の両側面ともに固定する本実施の形態の構成とすれば、軒桁Ａへの垂木１の固定強度が高くなる。
【００３５】
羽根部７１は、図１５に示すように、第１の軒桁用垂木固定部材７を構成する鋼板が、前記垂木受け部７０の側部７０Ｒから外側へ略直角に曲折されることにより、その面が垂木受け部７０に固定された垂木１の軸線方向と略直交する方向となるように、垂木受け部７０に突設されている。これにより、垂木受け部７０に垂木１を固定した場合に、該垂木１の側方であって軸線と略直交する方向へ羽根部７１が突出して、建物の屋外側、即ち垂木１の勾配下方へ向いた当接面７１ａが形成される。
【００３６】
なお、羽根部７１は垂木受け部７０のいずれの側方に突設しても、両側方に突設することとしてもよい。また、羽根部７１も前記垂木受け部７０の両側部７０Ｌ，７０Ｒと同様に、垂木１の上面へ突出しないように、垂木１の高さ寸法内のものとする。また、本実施の形態のように、羽根部７１を垂木１の側方へ突出させることにより、本木造屋根パネル１０２を軒桁に固定する際に、作業者が木造屋根パネル１０２の上に上がる必要がなく、各垂木１の側方から固定作業を行えるので好ましい。
【００３７】
羽根部７１に穿設された貫通孔７２は、図１４に示すように、横方向の長穴である。即ち、該長穴は、垂木受け部７０に固定される垂木１の軸線方向に対して略直交する方向であり、軒桁に対しては長手方向に長いものとなっている。これにより、第１の軒桁用垂木固定部材７を第２の軒桁用垂木固定部材８にボルト等の留め具により締結する場合に、長穴の範囲内で垂木１を軒桁の長手方向に対して位置調整することができる。
【００３８】
図１６は木造屋根パネル１０２の垂木１に第１の軒桁用垂木固定部材７が固定された状態を示すものであるが、図に示すように、垂木受け部７０に垂木１を嵌め込み、垂木受け部７０の各内面を垂木１の底面及び両側面と夫々接触させた状態で、各貫通孔７３に釘７４を夫々挿入して垂木１に打ち込むことにより固定している。前述したように、両側部７０Ｌ，７０Ｒの各貫通孔７３は、垂木１の高さ方向の位置が互いに異なり、底部７０Ｂの貫通孔７３は、垂木１の軸方向の位置が両側部７０Ｌ，７０Ｒの各貫通孔７３と異なるので、各貫通孔７３に挿通し垂木１に貫入した釘７４が互いに干渉することはない。このようにして、木造屋根パネル１０２の各垂木１の所定位置に第１の軒桁用垂木固定部材７が夫々固定され、羽根部７１が各垂木１の軸線方向と略直交するようにして側方へ突出している。
【００３９】
以下、本木造屋根パネル１０２の固定方法について説明する。
図１７は、木造小屋組を示すものであり、軒桁Ａ、小屋梁Ｂが組まれ、小屋梁Ｂ上に小屋束Ｃが適宜立設され、各小屋束Ｃ上に母屋Ｄが、また、棟の頂点には棟木Ｅが横架されて小屋組が構成されている。本木造屋根パネル１０２は、軒桁Ａとの固定には第１の軒桁用垂木固定部材７及び第２の軒桁用垂木固定部材８が用いられ、母屋Ｄ及び棟木Ｅとの固定には母屋用垂木固定部材９が用いられる。
【００４０】
木造屋根パネル１０２と軒桁Ａとの固定に用いられる前記第２の軒桁用垂木固定部材８は、木造屋根パネル１０２の各垂木１に予め固定された第１の軒桁用垂木固定部材７と対をなすものであり、木造屋根パネル１０２の固定前に、予め軒桁Ａの所定位置に夫々固定されている。該第２の軒桁用垂木固定部材８は、図１８に示すように、軒桁Ａの上面に固定される基部８０から起立して、軒桁Ａに固定する垂木１の勾配と直交し且つ勾配上方へ向いた規制面８１ａを有する起立部８１が形成され、該規制面８１ａに、垂木１を遊嵌する切欠き８２と留め具を挿通する貫通孔８３とが形成されたものである。
【００４１】
このような第２の軒桁用垂木固定部材８は略矩形の鋼板に曲折、切欠等の加工を施すことにより得ることができ、鋼板の表裏面を軒桁Ａの軸線方向として、下端に２箇所の切込みを設け両端側が軒桁Ａの屋内方向、中央が軒桁Ａの屋外方向となるように略直角に曲折されることにより、その底面が軒桁Ａの上面と接触する基部８０が形成されている。基部８０の形状は本実施の形態に示したものに限定されず種々の変更が可能であるが、図に示すように、軒桁Ａの屋内側及び屋外側の双方に曲折された基部８０を設ければ、起立部８１に締結される第１の軒桁用垂木固定部材７を介して木造屋根パネル１０２を支持する強度が高くなるので好適である。各基部８０には厚み方向に貫通孔８４が穿設されており、該貫通孔８４にボルトや釘等を挿通して軒桁Ａに貫入することにより、第２の軒桁用垂木固定部材８が軒桁Ａの上面に固定できるようになっている。
【００４２】
また、前記基部８０の上側の鋼板が、基部８０と略直角な起立部８１を構成しており、該起立部８１は所定位置から軒桁Ａの屋外側へ曲折されている。図１９に示すように、起立部８１は、その面が軒桁Ａに固定される垂木１の勾配αと略直交するように屋外側へ曲折され、垂木１の勾配上方へ向いた面が規制面８１ａとなっている。垂木１の勾配αは、木造住宅の屋根勾配の設計に従って設定されるものなので、規制面８１ａを形成するための起立部８１の曲折角度も、同様に、第２の軒桁用垂木固定部材８を用いて軒桁Ａに垂木１を固定する木造住宅の屋根勾配の設計に従って予め設定しておく。
【００４３】
図２０に示すように、前記切欠き８２は、起立部８１の上端の略中央から略鉛直方向に切欠されたものであり、切欠き８２の幅は木造屋根パネル１０２の垂木１の幅より大きいものである。従って、木造屋根パネル１０２を固定する際には第２の軒桁用垂木固定部材８の上方から切欠き８２に垂木１を遊嵌することができるので、作業が容易である。また、切欠き８２の幅を垂木１の幅に対して余裕を持たせて、切欠き８２に対して垂木１を遊嵌状態としているので、垂木１を軸方向に移動させたり、一定範囲内で幅方向に移動させることが容易にできるようになっている。
【００４４】
図２１は軒桁Ａの上面に第２の軒桁用垂木固定部材８が固定された状態を示すものであるが、図に示すように、起立部８１の規制面８１ａが垂木１の勾配上方を向くようにして、第２の軒桁用垂木固定部材８の基部８０の底面と軒桁Ａの上面とを接触させた状態で、各貫通孔８４に釘８５を夫々挿入して軒桁Ａに打ち込むことにより固定されている。このようにして、木造屋根パネル１０２の各垂木１の配置に対応して、軒桁Ａの各位置に第２の軒桁用垂木固定部材８が夫々固定されている。
【００４５】
一方、木造屋根パネル１０２と母屋Ｄ又は棟木Ｅとの固定に用いられる前記母屋用垂木固定部材９は、予め母屋Ｄ及び棟木Ｅの所定位置に夫々固定されるものであり、図２２に示すように、母屋Ｄ又は棟木Ｅの上面に固定される基部９０Ａ，９０Ｂ上に、所定勾配の垂木１の底面を支持する垂木支持部９１が形成され、該垂木支持部９１に、垂木１の側面に固定する垂木固定部９２が立設されてなるものである。このような母屋用垂木固定部材９も所定形状の鋼板に曲折、打ち抜き等の加工を施すことにより得ることができる。
【００４６】
基部９０Ａには、その厚み方向に貫通孔９３が穿設されており、母屋Ｄ又は棟木Ｅの上面に接触させた状態で、該貫通孔９３にボルトや釘等が挿通されて母屋Ｄ又は棟木Ｅに貫入されることにより、母屋用垂木固定部材９を母屋Ｄ又は棟木Ｅの上面に対して固定できるようになっている。一方、基部９０Ｂは、鋼板が略直角に曲折された形状であり、母屋Ｄ又は棟木Ｅの上面と側面の隅部に合致するものとなっている。該基部９０Ｂの下端付近にも、その厚み方向に貫通孔９４が穿設されており、母屋Ｄ又は棟木Ｅの隅部に接触させた状態で、該貫通孔９４にボルトや釘等を挿通して母屋Ｄ又は棟木Ｅに貫入することにより、母屋用垂木固定部材９を母屋Ｄ又は棟木Ｅの側面に対して固定できるようになっている。
【００４７】
垂木支持部９１は、図２３に示すように、基部９０Ａから起立した起立部９１ａと、基部９０Ｂから起立した起立部９１ｂと、これら起立部９１ａ，９１ｂに架設された支持部９１ｃとからなり、起立部９１ａ，９１ｂの高低差によって支持部９１ｃが垂木１の勾配αと略同等に傾斜したものとなっている。このような垂木支持部９１により勾配αの垂木１の底面を担持するように支持するものとなっている。
【００４８】
垂木固定部９２は、図２２及び図２３に示すように、鋼板が前記垂木支持部９１の支持部９１ｃから略直角に上方ヘ曲折されてなるものであり、該支持部９１ｃと相まって、垂木１の底面と側面の隅部に合致したものとなっている。該垂木固定部９２には、その厚み方向に貫通孔９５が穿設されており、垂木固定部９２の内面が垂木１の側面に接触した状態で、該貫通孔９５にボルトや釘等を挿通して垂木１に貫入することにより、母屋用垂木固定部材９を垂木１に固定できるようになっている。
【００４９】
なお、垂木固定部９２も、前記垂木受け部８０と同様に、垂木１の上面へ突出しないように、垂木１の高さ寸法内のものとする。また、本実施の形態では、垂木支持部９１の一側方にのみ垂木固定部９２が立設されたものとしたが、垂木１の両側面に接して垂木１を挟入するように、垂木支持部９１の両側方に垂木固定部９２を立設すれば、木造屋根パネル１０２の固定強度が高くなる。
【００５０】
図２４は母屋Ｄ又は棟木Ｅに母屋用垂木固定部材９が固定された状態を示すものであるが、図に示すように、垂木支持部９１の支持部９１ｃが垂木１の勾配と合致するようにして、基部９０Ａの底面と母屋Ｄの上面とを接触させ、且つ基部９０Ｂを母屋Ｄの上面と側面の隅部に合致させた状態で、各貫通孔９４に釘９６を夫々挿入して母屋Ｄに打ち込むことにより固定している。このようにして、木造屋根パネル１０２の各垂木１に対応して、各母屋Ｄ及び棟木Ｅの各位置に母屋用垂木固定部材９を夫々固定する。
【００５１】
このように、予め、軒桁Ａに第２の軒桁用垂木固定部材８が夫々固定され、母屋Ｄ及び棟木Ｅに母屋用垂木固定部材９が夫々固定された小屋組に、木造屋根パネル１０２を固定する。該小屋組に木造屋根パネル１０２を固定するには、先ず、図１７に示したようにクレーン等で木造屋根パネル１０２を小屋組上に吊り上げ、図２５に示すように、軒桁Ａに対して、木造屋根パネル１０２の各垂木１を軒桁Ａの第２の軒桁用垂木固定部材８の起立部８１の切欠き８２に夫々遊嵌し、各垂木１に固定された第１の軒桁用垂木固定部材７の羽根部７１を、軒桁Ａに固定された各第２の軒桁用垂木固定部材８の規制面８１ａに夫々当接する。これにより、軒桁Ａに対する各垂木１の軸線方向の位置を決めがなされるとともに、各第２の軒桁用垂木固定部材７に各垂木１が担持され、クレーン等に吊り上げられた状態の木造屋根パネル１０２の姿勢が安定するとともに、小屋組からの落下が防止される。
【００５２】
次に、図２６に示すように、第１の軒桁用垂木固定部材７の羽根部７１を第２の軒桁用垂木固定部材８の規制面８１ａに当接させた状態のまま、母屋Ｄ及び棟木Ｅに対して、木造屋根パネル１０２の各垂木１を母屋Ｄ及び棟木Ｅに固定された各母屋用垂木固定部材９の垂木支持部９１上に載置する。これにより、図２７に示すように、各垂木１は、母屋用垂木固定部材９にも担持された状態となり、木造屋根パネル１０２をクレーン等により吊り上げなくとも小屋組から落下等することがなく、安定した状態で軒桁Ａ、母屋Ｄ及び棟木Ｅ上に木造屋根パネル１０２を仮置きできる。
【００５３】
その後、木造屋根パネル１０２を、垂木１の水平方向、即ち軒桁Ａ、母屋Ｄ及び棟木Ｅの長手方向に対して位置調節する。図２０で示したように、第２の軒桁用垂木固定部材８の切欠き８２の幅は垂木１の幅より大きく、垂木１は切欠き８２に対して遊嵌状態にあるので、一定範囲内で水平方向に移動させることができる。このように、複数の木造屋根パネル１０２を小屋組に順次固定していく際にも、木造屋根パネル１０２間に隙間等が生じないように位置調整することは容易である。また、第１の軒桁用垂木固定部材７の羽根部７１に穿設された貫通孔７２は長穴であり、水平方向を向いているので、該長穴の範囲内で位置調節をしても、ボルト等の留め具を挿通することが可能である。なお、貫通孔７２を長穴とする代わりに、第２の軒桁用垂木固定部材８の起立部８１に穿設された貫通孔８３を長穴としてもよい。
【００５４】
位置調節後、図２８に示すように、ボルト（留め具）９７を第１の軒桁用垂木固定部材７の羽根部７１の挿通孔７２と第２の軒桁用垂木固定部材８の規制面８１ａ上の挿通孔８３とに挿通し、ナット（留め具）９８を螺合して、両部材を締結する。また、図には示していないが、母屋用垂木固定部材９の垂木固定部９２の貫通孔９５に釘を挿通して垂木１に打ち込み、垂木１を固定する。このようにして、木造屋根パネル１０２を軒桁Ａ、母屋Ｄ及び棟木Ｅに固定する。これら締結作業や釘打ちは、垂木１が第２の軒桁用垂木固定部材８及び母屋用垂木固定部材９に仮置きされて、安定した状態で行うことができる。また、当該締結作業や釘打ち作業において、作業者は軒桁Ａや母屋Ｄ、棟木Ｅの下側から作業を行うことができ、予め野路板６が敷設された木造屋根パネル１０２の固定作業が容易となり、作業者が木造屋根パネル１０２の上側へ上がる必要がないので危険度が少ない。
【００５５】
【発明の効果】
このように、本発明に係る木造屋根パネルによれば、垂木及び軒先母屋等が一体化されることにより、施工現場における作業を軽減して工期の短縮が可能となり、施工現場での廃材が少ないという利点がある。また、各垂木と横架材との固定位置に、垂木固定部材を架設することにより、木造屋根パネルを母屋や軒桁等の横架材上に所定勾配で安定して載置することができ、作業の安全性が高まり、垂木の固定が技量差なく確実なものとなる。
【００５６】
また、本発明によれば、前記木造屋根パネルを、上下方向に分割された分割屋根パネルが所定の母屋上で継合されてなるものとしたので、各分割屋根パネルを分離状態で運搬、施工することができ重量や大きさの面で作業がし易いという利点がある。また、下側分割屋根パネルの各垂木の継合端付近に前記垂木固定部材を架設し、上側分割屋根パネルの各垂木の継合端付近に、継合用垂木固定部材を架設することにより、母屋上で、下側分割屋根パネル及び上側分割屋根パネルを所定勾配で安定して載置することができ、且つ各垂木が継合すべき垂木と同一軸線に支持されるので、作業の安全性が高まるとともに継合作業が容易となる。
【００５７】
また、本発明に係る木造屋根パネルによれば、野路板を垂木と一体化しておくことにより、工期の短縮や現場廃材の減少をより一層図ることができる。また、各垂木の軒桁との固定位置には第１の軒桁用垂木固定部材を夫々固定して、軒桁に固定された各第２の軒桁用垂木固定部材の規制面に各第１の軒桁用垂木固定部材の羽根部を当接させた状態とすることにより、垂木を担持して木造屋根パネルの落下を防止でき、また、軒桁に対する垂木の位置決めが容易となる。一方、母屋及び棟木に対しては母屋用垂木固定部材の垂木支持部上に垂木を載置することにより、安定した状態で屋根パネルを軒桁及び母屋上に仮置きすることができ、屋根パネルの位置調整や、留め具による第１の軒桁用垂木固定部材と第２の軒桁用垂木固定部材との固定作業、及び母屋用垂木固定部材と垂木との固定作業が容易となる。これにより、木造屋根パネルの正確、簡便、且つ安全な固定を実現することができる。
【図面の簡単な説明】
【符号の説明】
【図１】本発明の第１の実施の形態に係る木造屋根パネル１００の構成を示す斜視図である。
【図２】垂木固定部材４の詳細な構成を示す拡大斜視図である。
【図３】木造屋根パネル１００の固定方法を説明するための側面図である。
【図４】木造屋根パネル１００の固定方法を説明するための側面図である。
【図５】軒桁Ａへの垂木固定部材４の固定方法を説明するための拡大斜視図である。
【図６】木造屋根パネル１００の変形例を示す斜視図である。
【図７】本発明の第２の実施の形態に係る木造屋根パネル１０１の構成を示す斜視図である。
【図８】下側分割屋根パネル１０１Ａの垂木１Ａの継合端１ｃ付近の構成を示す拡大斜視図である。
【図９】上側分割屋根パネル１０１Ｂの垂木１Ｂの継合端１ｄ付近の構成を示す拡大斜視図である。
【図１０】木造屋根パネル１０１の固定方法を説明するための側面図である。
【図１１】木造屋根パネル１０１の固定方法を説明するための側面図である。
【図１２】木造屋根パネル１０１の固定方法を説明するための側面図である。
【図１３】本発明の第３の実施の形態に係る木造屋根パネル１０２の構成を示す斜視図である。
【図１４】第１の軒桁用垂木固定部材７の構成を示す斜視図である。
【図１５】羽根部７１と垂木１の軸線との関係を示す平面図である。
【図１６】垂木１に第１の軒桁用垂木固定部材７が固定された状態を示す正面図である。
【図１７】木造屋根パネル１０２の固定方法を説明するための側面図である。
【図１８】第２の軒桁用垂木固定部材８の構成を示す斜視図である。
【図１９】規制面８１ａと垂木１の勾配との関係を示す側面図である。
【図２０】切欠８２と垂木１の幅との関係を示す正面図である。
【図２１】軒桁Ａに第２の軒桁用垂木固定部材８が固定された状態を示す側面図である。
【図２２】母屋用垂木固定部材９の構成を示す斜視図である。
【図２３】垂木支持部９１と垂木１の勾配との関係を示す側面図である。
【図２４】母屋Ｄ又は棟木Ｅに母屋用垂木固定部材９が固定された状態を示す側面図である。
【図２５】木造屋根パネル１０２の固定方法を説明するための側面図である。
【図２６】木造屋根パネル１０２の固定方法を説明するための側面図である。
【図２７】木造屋根パネル１０２の固定方法を説明するための側面図である。
【図２８】第１の軒桁用垂木固定部材７と第２の軒桁用垂木固定部材８とがボルト９７及びナット９８により締結された状態を示す側面図である。
【符号の説明】
１  垂木
１ａ  軒先端
１ｃ，１ｄ  継合端
２  軒先母屋
４  垂木固定部材
５  継合用垂木固定部材
６  野路板
７  第１の軒桁用垂木固定部材
８  第２の軒桁用垂木固定部材
９  母屋用垂木固定部材
４０  固定部
４１  垂木支持面
５０  固定部
５２  垂木支持面
７０  垂木受け部
７１  羽根部
７２  貫通孔
８０  基部
８１  起立部
８１ａ  規制面
８２  切欠き
８３  貫通孔
９０Ａ，９０Ｂ  基部
９１  垂木支持部
９２  垂木固定部
９７  ボルト（留め具）
９８  ナット（留め具）
１００，１０１，１０２  木造屋根パネル。
１０１Ａ  下側分割屋根パネル
１０１Ｂ  上側分割屋根パネル
【図１】
2004346561.tif 000003
【図２】
2004346561.tif 000004
【図３】
2004346561.tif 000005
【図４】
2004346561.tif 000006
【図５】
2004346561.tif 000007
【図６】
2004346561.tif 000008
【図７】
2004346561.tif 000009
【図８】
2004346561.tif 000010
【図９】
2004346561.tif 000011
【図１０】
2004346561.tif 000012
【図１１】
2004346561.tif 000013
【図１２】
2004346561.tif 000014
【図１３】
2004346561.tif 000015
【図１４】
2004346561.tif 000016
【図１５】
2004346561.tif 000017
【図１６】
2004346561.tif 000018
【図１７】
2004346561.tif 000019
【図１８】
2004346561.tif 000020
【図１９】
2004346561.tif 000021
【図２０】
2004346561.tif 000022
【図２１】
2004346561.tif 000023
【図２２】
2004346561.tif 000024
【図２３】
2004346561.tif 000025
【図２４】
2004346561.tif 000026
【図２５】
2004346561.tif 000027
【図２６】
2004346561.tif 000028
【図２７】
2004346561.tif 000029
【図２８】
2004346561.tif 000030